(57)【特許請求の範囲】
【請求項１】
電線群に装着される上面開口のプロテクタ本体と、幅方向両側縁に複数のロック爪が突設され、前記プロテクタ本体の上面開口を閉塞するカバーとを備えるプロテクタであって、
前記プロテクタ本体は、幅方向両側縁より側壁を立設した樋形状をなし、長手方向において途中で折れ曲がった屈曲部を有し、
一方の前記側壁に、一端側にロック爪を有するヒンジの他端側を他方の前記側壁側に向けて折り曲げ自在に支持する支持部が少なくとも設けられ、
他方の前記側壁の前記屈曲部の境界部分に、前記ヒンジのロック爪を係止する第１の係止部が設けられ、
前記ヒンジのロック爪による前記第１の係止部への係止が前記屈曲部の境界部分にて行われ、
一方の前記側壁の前記屈曲部の境界部分に、前記カバーのロック爪を係止する第２の係止部が設けられ、
他方の前記側壁に、前記カバーのロック爪を係止する第３の係止部が少なくとも設けられ、
前記第１の係止部と前記第２の係止部、及び前記支持部と前記第３の係止部が前記プロテクタ本体の長手方向に対し直交する位置に配置されている
ことを特徴とするプロテクタ。
【請求項２】
前記支持部と前記第２の係止部は、一方の前記側壁の長手方向に沿って近接配置され、
前記第１の係止部と前記第３の係止部は、他方の前記側壁の長手方向に沿って近接配置されている
ことを特徴とする請求項１に記載のプロテクタ。
【発明の詳細な説明】
【技術分野】
【０００１】
本発明は、自動車に配索されるワイヤハーネス等の電線群を外装するプロテクタに関する。
【背景技術】
【０００２】
自動車に配索されるワイヤハーネス等の電線群にあっては、その電線群の保護及び配索方向を規制する箇所がある場合、その箇所で電線群をプロテクタ内に挿通させている。なお、プロテクタに屈曲部がある場合、プロテクタ内の電線群が屈曲部に沿って這わず、電線群がプロテクタ内からはみ出してカバーの嵌合の妨げになることがある。
【０００３】
このような電線群のプロテクタ内からのはみ出し等を防止するようにしたものとし、たとえば特許文献１に示されているプロテクタが知られている。
【０００４】
すなわち、特許文献１に示されているプロテクタは、たとえば図７（ａ）に示すように、プロテクタ本体４０の側壁４１の上縁部にロック枠部４２及びカバーロック枠部４３を設け、プロテクタ本体４０の屈曲部４４の下部側（屈曲部最下点）の近傍に、一方の側壁４１から突設したロック爪４５を有する電線押さえ片４６を設けている。この電線押さえ片４６は、電線群Ｗの浮き上がりを押さえるものである。
【０００５】
電線押さえ片４６は、図７（ｂ）に示すように、一方の側壁４１から他方の側壁４１に架け渡されるようにして傾倒され、ロック爪４５がロック枠部４２に係止される。そして、図７（ｃ）に示すように、カバー５０のロック爪５１がカバーロック枠部４３に係止されることで、プロテクタ本体４０の内部が閉塞される。
【先行技術文献】
【特許文献】
【０００６】
【特許文献１】特開２００８−９２６３８号公報
【発明の概要】
【発明が解決しようとする課題】
【０００７】
上述した特許文献１に示されているプロテクタでは、プロテクタ本体４０の屈曲部４４の下部側（屈曲部最下点）の付近で浮き上がりやすい電線群Ｗを、一方の側壁４１から突設した電線押さえ片４６によって押圧することができ、カバー５０の装着を容易に行えるようになっている。
【０００８】
すなわち、屈曲部４４の下部側（屈曲部最下点）では、電線群Ｗの浮き上がり力が最も強くなるため、その下部側（屈曲部最下点）で電線群Ｗを電線押さえ片４６により押圧することが有効となっている。
【０００９】
ところが、このような構成では、電線押さえ片４６のロック爪４５が係止されるロック枠部４２が屈曲部４４の下部側である屈曲部最下点の近傍に設けられている。そのため、ロック枠部４２のロック爪４５によるロック枠部４２への係止が屈曲部４４の下部側である屈曲部最下点の近傍で行われることになる。この場合、電線群Ｗの浮き上がり力が最も強くなる屈曲部最下点を押さえることができなくなるという問題を生じてしまう。
【００１０】
本発明は、このような状況に鑑みてなされたものであり、電線群の浮き上がり力が最も強くなる部分を確実に押さえることができるプロテクタを提供することを目的とする。
【課題を解決するための手段】
【００１１】
本発明のプロテクタは、電線群に装着される上面開口のプロテクタ本体と、幅方向両側縁に複数のロック爪が突設され、前記プロテクタ本体の上面開口を閉塞するカバーとを備えるプロテクタであって、前記プロテクタ本体は、幅方向両側縁より側壁を立設した樋形状をなし、長手方向において途中で折れ曲がった屈曲部を有し、一方の前記側壁に、一端側にロック爪を有するヒンジの他端側を他方の前記側壁側に向けて折り曲げ自在に支持する支持部が少なくとも設けられ、他方の前記側壁の前記屈曲部の境界部分に、前記ヒンジのロック爪を係止する第１の係止部が設けられ、前記ヒンジのロック爪による前記第１の係止部への係止が前記屈曲部の境界部分にて行われ、一方の前記側壁の前記屈曲部の境界部分に、前記カバーのロック爪を係止する第２の係止部が設けられ、他方の前記側壁に、前記カバーのロック爪を係止する第３の係止部が少なくとも設けられ、前記第１の係止部と前記第２の係止部、及び前記支持部と前記第３の係止部が前記プロテクタ本体の長手方向に対し直交する位置に配置されていることを特徴とする。
また、前記支持部と前記第２の係止部は、一方の前記側壁の長手方向に沿って近接配置され、前記第１の係止部と前記第３の係止部は、他方の前記側壁の長手方向に沿って近接配置されていることを特徴とする。
本発明のプロテクタでは、他端側が支持部により折り曲げ自在に支持されているヒンジの一端側を他方の側壁側に向けて折り曲げその一端側のロック爪を、他方の側壁の屈曲部の境界部分に設けられている第１の係止部に係止することで、ヒンジのロック爪による第１の係止部への係止が屈曲部の境界部分にて行われる。
また、第２の係止部及び第３の係止部にカバーのロック爪が係止される。
【発明の効果】
【００１２】
本発明のプロテクタによれば、ヒンジのロック爪による第１の係止部への係止が屈曲部の境界部分にて行われ、さらに第２の係止部及び第３の係止部にカバーのロック爪が係止されるようにしたので、電線群の浮き上がり力が最も強くなる部分を確実に押さえることができる。
【図面の簡単な説明】
【００１３】
【図１】本発明のプロテクタの一実施形態を説明するものであって、プロテクタ本体とカバーとを示す斜視図である。
【図２】図１のプロテクタのプロテクタ本体とカバーとを背面側から見た斜視図である。
【図３】図１及び図２のプロテクタのプロテクタ本体の屈曲部最下点を示す側面図である。
【図４】図１及び図２のプロテクタのプロテクタ本体の要部を説明するための平面図である。
【図５】図１及び図２のプロテクタのプロテクタ本体の要部を説明するための平面図である。
【図６】図１及び図２のプロテクタのプロテクタ本体の要部を説明するための平面図である。
【図７】従来のプロテクタを説明するためのものであり、同図（ａ）は電線群にプロテクタ本体が装着された場合を示す斜視図、同図（ｂ）は電線押さえ片によって電線群が押さえられた場合を示す斜視図、同図（ｃ）はプロテクタ本体にカバーが装着された場合を示す斜視図である。
【発明を実施するための形態】
【００１４】
以下、本発明のプロテクタの一実施形態の詳細を、図１〜図６を参照して説明する。なお、以下に説明するプロテクタは、たとえば車両のエンジンルーム内の狭隘なスペースで、そのエンジンルーム内に配索する電線群に装着されるものであって、その配置スペースの形状に対応すべく三次元に屈折した形状をなしている。
【００１５】
まず、図１及び図２に示すように、プロテクタ１は、図示しないワイヤハーネス等の電線群に装着され、その電線群を保護したり配索方向を規制したりするものであり、プロテクタ本体１０とカバー２０とを有している。これらのプロテクタ本体１０及びカバー２０は、樹脂により一体成型されている。
【００１６】
プロテクタ本体１０は、底壁１１の幅方向両側縁より側壁１２ａ、１２ｂを立設した樋形状をなしている。また、プロテクタ本体１０は、長手方向において途中で折れ曲がった部分である屈曲部１３を有している。なお、屈曲部１３の曲がり方向は、たとえばプロテクタ本体１０の水平部分から斜め上方に延びた部分に向かう方向である。また、屈曲部１３においては、図３に示すように、折れ曲がりの境界部分が屈曲部最下点Ａとされている。
【００１７】
側壁１２ａには、長手方向に沿ってカバー２０の後述のロック爪２２が係止されるロック枠部１４が複数設けられている。また、側壁１２ａの屈曲部１３の境界部分（屈曲部最下点Ａ）には、一端側にロック爪３１を有するヒンジ３０の他端側が支持部３２を支点として折り曲げ自在に支持されている。なお、側壁１２ａの屈曲部１３の境界部分（屈曲部最下点Ａ）においては、ヒンジ３０の支持部３２とカバー２０の後述のロック爪２２が係止されるロック枠部１４とが近接配置されている。また、符号１６は、図示しない電線群を押さえる押さえ片である。
【００１８】
一方、側壁１２ｂには、長手方向に沿ってロック枠部１４、１５が設けられている。なお、ロック枠部１５は１個設けられているが、ロック枠部１４については複数設けられている。また、ロック枠部１４は、上述したカバー２０の後述のロック爪２２が係止されるものである。ロック枠部１５は、ヒンジ３０のロック爪３１が係止されるものである。なお、側壁１２ｂの屈曲部１３の境界部分（屈曲部最下点Ａ）においては、カバー２０の後述のロック爪２２が係止されるロック枠部１４とヒンジ３０のロック爪３１が係止されるロック枠部１５とが近接配置されている。
【００１９】
すなわち、屈曲部１３の境界部分（屈曲部最下点Ａ）においては、側壁１２ａ側のロック枠部１４と、側壁１２ｂ側のロック枠部１５とがプロテクタ本体１０の長手方向に対し直交する位置に配置されている。また、屈曲部１３の境界部分（屈曲部最下点Ａ）の近傍においては、側壁１２ａ側のヒンジ３０の支持部３２と、側壁１２ｂ側のロック枠部１４とがプロテクタ本体１０の長手方向に対し直交する位置に配置されている。
【００２０】
このような配置により、側壁１２ａ側のロック枠部１４と、側壁１２ｂ側のロック枠部１４とがプロテクタ本体１０の長手方向に対し直交せずに斜めになる。また、側壁１２ａ側のヒンジ３０の支持部３２と、側壁１２ｂ側のロック枠部１５とがプロテクタ本体１０の長手方向に対し直交せずに斜めになる。言い換えれば、それぞれのロック位置を結ぶ線が交差していることになる。
【００２１】
さらに言えば、屈曲部１３の境界部分（屈曲部最下点Ａ）において、図示しない電線群の浮き上がりが最も強くなるが、その最も浮き上がりが強くなる部分をヒンジ３０のロック爪３１による係止と、カバー２０の後述のロック爪２２による係止とにより、確実に押さえることができる。
【００２２】
カバー２０は、プロテクタ本体１０の上面開口の全面を閉鎖する上壁２１を有している。上壁２１の幅方向両側縁には、複数のロック爪２２が下方に向けて突設されている。これらのロック爪２２は、プロテクタ本体１０のロック枠部１４に対応する位置に配置されている。そして、カバー２０がプロテクタ本体１０に装着されると、それぞれのロック爪２２がプロテクタ本体１０のそれぞれのロック枠部１４に係止される。
【００２３】
次に、プロテクタ１を図示しない電線群に取り付ける作業手順について説明する。まず、図４に示すように、ヒンジ３０を開いた状態で、図示しない電線群にプロテクタ本体１０を装着する。
【００２４】
次いで、図５に示すように、ヒンジ３０をプロテクタ本体１０の内側に折り曲げ、図示しない電線群をヒンジ３０の内側で押さえつけながらプロテクタ本体１０内に押し込みつつ、ヒンジ３０のロック爪３１をロック枠部１５に係止させる。
【００２５】
その後、図６に示すように、プロテクタ本体１０の上面開口にカバー２０を被せ、該カバー２０のそれぞれのロック爪２２をプロテクタ本体１０のそれぞれのロック枠部１４に係止する。
【００２６】
このとき、上述したように、特に、プロテクタ本体１０の屈曲部１３の境界部分（屈曲部最下点Ａ）においては、側壁１２ａ側のロック枠部１４と、側壁１２ｂ側のロック枠部１４とがプロテクタ本体１０の長手方向に対し直交せずに斜めになるように配置されている。また、側壁１２ａ側のヒンジ３０の支持部３２と、側壁１２ｂ側のロック枠部１５とがプロテクタ本体１０の長手方向に対し直交せずに斜めになるように配置されている。言い換えれば、それぞれのロック位置を結ぶ線が交差していることになる。
【００２７】
これにより、プロテクタ本体１０にカバー２０が装着されることで、図６に示すように、プロテクタ本体１０の屈曲部１３の境界部分（屈曲部最下点Ａ）においては、側壁１２ａ側のロック枠部１４と側壁１２ｂ側のロック枠部１５とを結ぶ線（点線ｙ）で示すように、図示しない電線群が長手方向において直交するように押さえられることになる。
【００２８】
このように、本実施形態では、他端側が支持部３２により折り曲げ自在に支持されているヒンジ３０の一端側を他方の側壁１２ｂ側に向けて折り曲げ、その一端側のロック爪３１を他方の側壁１２ｂの屈曲部１３の境界部分（屈曲部最下点Ａ）に設けられている第１の係止部であるロック枠部１５に係止するようにした。
【００２９】
これにより、ヒンジ３０のロック爪３１による第１の係止部であるロック枠部１５への係止が屈曲部１３の境界部分（屈曲部最下点Ａ）にて行われることから、図示しない電線群の浮き上がり力が最も強くなる部分を確実に押さえることができる。
【００３０】
言い換えれば、屈曲部１３の境界部分（屈曲部最下点Ａ）において、図示しない電線群の浮き上がりが最も強くなるが、その最も浮き上がりが強くなる部分を、ヒンジ３０の他端側の支持部３２とヒンジ３０のロック爪３１が係止される第１の係止部であるロック枠部１５との間で押さえ込むことができる。
【００３１】
また、一方の側壁１２ａの屈曲部１３の境界部分（屈曲部最下点Ａ）に第２の係止部であるロック枠部１４を設け、他方の側壁１２ｂの屈曲部１３の境界部分（屈曲部最下点Ａ）の近傍に第３の係止部であるロック枠部１４を設けることで、第１の係止部ロック枠部１５と第２の係止部であるロック枠部１４、及びヒンジ３０の支持部３２と第３の係止部であるロック枠部１４がプロテクタ本体１０の長手方向に対し直交する位置に配置されるようにし、これらのロック枠部１４にカバー２０のロック爪２２をさらに係止するようにした。
【００３２】
この場合、プロテクタ本体１０の屈曲部１３の境界部分（屈曲部最下点Ａ）がカバー２０のロック爪２２を係止する第３の係止部であるロック枠部１４とヒンジ３０のロック爪３１を係止する第１の係止部であるロック枠部１５との間で押さえ込まれることから、図示しない電線群の浮き上がり力に抗し、プロテクタ本体１０に装着されるカバー２０の浮き上がりや変形を確実に防止することができる。
【００３３】
言い換えれば、上記同様に、プロテクタ本体１０の屈曲部１３の境界部分（屈曲部最下点Ａ）において、図示しない電線群の浮き上がりが最も強くなるが、その最も浮き上がりが強くなる部分を、たとえばヒンジ３０のロック爪３１が係止される第１の係止部であるロック枠部１５とカバー２０のロック爪２２が係止される第２の係止部であるロック枠部１４との間で押さえ込むことができる。
【００３４】
なお、屈曲部１３の境界部分（屈曲部最下点Ａ）においては、側壁１２ａ側のロック枠部１４とヒンジ３０の支持部３２とを逆になるように配置し、側壁１２ｂ側のロック枠部１５とロック枠部１４とを逆になるように配置してもよい。この場合には、図示しない電線群の最も浮き上がりが強くなる部分を、ヒンジ３０の支持部３２とカバー２０のロック爪２２が係止されるロック枠部１４との間で押さえ込むことができる。
【００３５】
また、本実施形態では、側壁１２ａ側のロック枠部１４とヒンジ３０の支持部３２とを近接配置し、側壁１２ｂ側のロック枠部１５とロック枠部１４とを近接配置しているため、プロテクタ本体１０の屈曲部１３の図示しない電線群の最も浮き上がりが強くなる境界部分（屈曲部最下点Ａ）を、広範囲で押さえ込むことができる。
【産業上の利用可能性】
【００３６】
たとえば自動車に配索されるワイヤハーネス等の電線群に装着されるもの以外に、電力線や信号線等に装着されるものにも適用可能である。
【符号の説明】
【００３７】
１  プロテクタ
１０  プロテクタ本体
１１  底壁
１２ａ  側壁
１２ｂ  側壁
１３  屈曲部
１４  ロック枠部
１５  ロック枠部
２０  カバー
２１  上壁
２２  ロック爪
３０  ヒンジ
３１  ロック爪
３２  支持部
４０  プロテクタ本体
４１  側壁
４２  ロック枠部
４３  カバーロック枠部
４４  屈折部
４５  ロック爪
５０  カバー
５１  ロック爪
Ａ  屈曲部最下点
【図１】
0005939883.tif 000002
【図２】
0005939883.tif 000003
【図３】
0005939883.tif 000004
【図４】
0005939883.tif 000005
【図５】
0005939883.tif 000006
【図６】
0005939883.tif 000007
【図７】
0005939883.tif 000008